(57)【特許請求の範囲】
【請求項１】
水平部の先端から下方に周壁部を延設して、断面鉤状にせり出す容器開口部のフランジ部に、該容器開口部に嵌着した蓋のスカート部をかしめて固定し、開封時には前記スカート部から蓋を破断させて開封するプラスチック製のカップ状容器の蓋の蓋かしめ固定装置であって、前記容器のフランジ部の内側で、容器本体とフランジ部の水平部とを支持するカップホルダと、嵌着された蓋を介してフランジ部の水平部と周壁部とを押さえる押さえ部材と、前記蓋のスカート部をフランジ部の先端を支点として容器本体側に折り込むとともに、折り込んだスカート部をフランジ部の内側の前記カップホルダと周壁部との間に形成された隙間にさらに折り込むための、前記カップホルダと周壁部との間に形成された隙間に挿入される爪本体を有する複数に分割された爪部材とを備えたことを特徴とするカップ状容器の蓋かしめ固定装置。
【請求項２】
前記爪部材を加熱するヒーターを備えたことを特徴とする請求項１記載のカップ状容器の蓋かしめ固定装置。
【請求項３】
前記スカート部のフランジ部に沿う部分に、ミシン目等の脆弱部を形成するローレット部材を備えたことを特徴とする請求項１又は２記載のカップ状容器の蓋かしめ固定装置。
【発明の詳細な説明】
【０００１】
【発明の属する技術分野】
本発明は、プラスチック製のカップ状容器の蓋かしめ固定装置に関し、特に、カップ状容器の開口部に嵌着した蓋のスカート部を、断面鉤状にせり出す容器開口部のフランジ部にかしめて固定することにより、蓋を容易に取り外せないようにすることができるカップ状容器の蓋かしめ固定装置に関するものである。
【０００２】
【従来の技術】
従来、冷菓等の食品は、容器に対して密封収容する必要が特にないことから、容器に熱溶着されるヒートシール蓋が用いられることは少なく、容器の開口部に対して外嵌されているだけの被せ蓋が一般に用いられている。
【０００３】
この被せ蓋は、容器に乗せて押し込むだけでよいことから、熱溶着に所定の時間を要するヒートシール蓋等と比較して、蓋被せ工程の生産効率が高く、このため、特に、生産加工費が高く、高い生産性が求められる冷菓等の食品容器には適しているとされ、かき氷やプリンの容器の蓋として採用されてきた。
【０００４】
【発明が解決しようとする課題】
しかしながら、従来の被せ蓋では、容器開口部のフランジ部に被せられているだけの構成であることから、流通過程において加わる振動や売り場での取り扱いの過程において、蓋同士が接触や衝突をして、蓋が簡単に外れてしまうという問題があった。
【０００５】
さらに、近年、食品に対する衛生管理に対する意識が高まる中で、被せ蓋が流通過程や売り場等において簡単に取り外され、異物が混入されるおそれがあり、再び被せ直せば蓋を取り外した痕跡を発見し難いという問題があった。
【０００６】
本発明は、上記従来のカップ状容器が有する問題点に鑑み、カップ状容器の開口部に嵌着した蓋のスカート部を、断面鉤状にせり出す容器開口部のフランジ部にかしめて固定することにより、蓋を容易に取り外せないようにすることができるカップ状容器の蓋かしめ固定装置を提供することを目的とする。
【０００７】
【課題を解決するための手段】
上記目的を達成するため、本発明のカップ状容器の蓋かしめ固定装置は、水平部の先端から下方に周壁部を延設して、断面鉤状にせり出す容器開口部のフランジ部に、該容器開口部に嵌着した蓋のスカート部をかしめて固定し、開封時には前記スカート部から蓋を破断させて開封するプラスチック製のカップ状容器の蓋の蓋かしめ固定装置であって、前記容器のフランジ部の内側で、容器本体とフランジ部の水平部とを支持するカップホルダと、嵌着された蓋を介してフランジ部の水平部と周壁部とを押さえる押さえ部材と、前記蓋のスカート部をフランジ部の先端を支点として容器本体側に折り込むとともに、折り込んだスカート部をフランジ部の内側の前記カップホルダと周壁部との間に形成された隙間にさらに折り込むための、前記カップホルダと周壁部との間に形成された隙間に挿入される爪本体を有する複数に分割された爪部材とを備えたことを特徴とする。
【０００８】
このカップ状容器の蓋かしめ固定装置は、容器のフランジ部の内側で、容器本体とフランジ部の水平部とを支持するカップホルダと、嵌着された蓋を介してフランジ部の水平部と周壁部とを押さえる押さえ部材と、前記蓋のスカート部をフランジ部の先端を支点として容器本体側に折り込むとともに、折り込んだスカート部をフランジ部の内側の前記カップホルダと周壁部との間に形成された隙間にさらに折り込むための、前記カップホルダと周壁部との間に形成された隙間に挿入される爪本体を有する複数に分割された爪部材とを備えることから、容器の開口部に嵌着した蓋のスカート部を、断面鉤状にせり出す容器開口部のフランジ部の内側の前記カップホルダと周壁部との間に形成された隙間に折り込むようにして容易にかしめて固定することができ、これにより、生産効率を維持しながら、カップ状容器の蓋を容易に取り外せないようにするとともに、開封された容器の確認を容易にすることができる。
そして、このカップ状容器の蓋かしめ固定装置は、前記カップホルダと押さえ部材により容器本体と蓋とを位置決め固定するとともに、該カップホルダにより容器本体を爪部材から保護し、さらに、爪部材間の空隙に、折り込んだスカート部の余り部分を逃がすことにより、折り込み時の成型性と折り込み後の保形性を高めることができる。
【０００９】
この場合において、前記爪部材を加熱するヒーターを備えることができる。
【００１０】
これにより、蓋のスカート部の折り込み時の成型性と折り込み後の保形性をさらに高めることができる。
【００１１】
また、前記スカート部のフランジ部に沿う部分に、ミシン目等の脆弱部を形成するローレット部材を備えることができる。
【００１２】
これにより、蓋を脆弱部に沿ってきれいに破断することができる。
【００１３】
【発明の実施の形態】
以下、本発明のカップ状容器の蓋かしめ固定装置の実施の形態を図面に基づいて説明する。
【００１４】
図１〜図９に、本発明のカップ状容器の蓋かしめ固定装置の一実施例を示す。
このカップ状容器の蓋かしめ固定装置は、例えば、ポリエチレン等のプラスチック製のカップ状容器の蓋２を容器本体１にかしめて固定するもので、図６に示すように、水平部１２の先端から下方に周壁部１３を延設して、断面鉤状にせり出す容器開口部のフランジ部１１に、該容器開口部に嵌着した蓋２のスカート部２１をかしめて固定する。
すなわち、このカップ状容器の蓋かしめ固定装置は、図１〜図５に示すように、前記容器のフランジ部１１の内側で、容器本体１とフランジ部１１の水平部１２とを支持するカップホルダ３と、嵌着された蓋２を介してフランジ部１１の水平部１２と周壁部１３とを押さえる押さえ部材４と、前記蓋２のスカート部２１をフランジ部１１の先端を支点として容器本体１側に折り込むとともに、折り込んだスカート部２１をフランジ部１１の内側にさらに折り込む複数に分割された爪部材５とを備えている。
なお、図６に示すカップ状容器において、蓋２には、開封用のつまみ部２２と、破断案内用の切り込み部２３が設けられており、また、２点鎖線２４は、開封時に破断する部分を示している。
【００１５】
カップホルダ３は、筒状を呈し、筒壁３１の上端部でフランジ部１１の裏側を支持するとともに、筒壁３１の内側にカップ状容器の容器本体１を嵌挿させている。
このカップホルダ３は、図７〜図９に示すように、搬送方向と直交する方向に列をなして、チェーンコンベア６の搬送板６１上に複数設けられている。
【００１６】
押さえ部材４は、冠状を呈し、容器本体１に嵌着された蓋２を介してフランジ部１１の水平部１２と周壁部１３とを押さえる嵌着部４１を備えるとともに、爪部材５によるかしめ加工後に、蓋２を押さえ部材４から離脱させるエア噴出部４２を備えている。
【００１７】
爪部材５は、図１０〜図１３に示すように、一対のベース金具５１の半円形の切り欠き部５２に、間に一定の空隙５３を設けた状態で、容器本体１のフランジ部１１の内側に嵌挿する円周上の位置に形成されている。
また、爪部材５は、図２〜図３に示すように、蓋２のスカート部２１をフランジ部１１の先端を支点として容器本体１側に折り込むとともに、折り込んだスカート部２１をフランジ部１１の内側にさらに折り込む爪本体５４と、フランジ部１１の先端付近で、折り込んだスカート部２１を押圧する凹部５５とを備えている。
そして、この実施例では、熱可塑性又は熱収縮性合成樹脂の容器蓋２を用いるとともに、爪部材５を加熱するヒーター（図示省略）を設け、蓋２のスカート部２１の折り込み時の成型性と折り込み後の保形性を高めている。
この場合、後述する前後の蓋かしめ固定装置で爪部材５の形状と位相とを一致させるようにしているが、爪部材５の形状を変えたり位相をずらせたりすることにより、折り込み時の成型性と折り込み後の保形性を一層高めることができる。
なお、爪部材５の形状や数量は、図１０〜図１３に示すように、適宜選択することが可能であり、また、ヒーターを省略し、常温で塑性変形させることにより、蓋２をかしめ固定することもできる。
【００１８】
一方、この実施例では、図７〜図９に示すように、上記カップ状容器の蓋かしめ固定装置をチェーンコンベア６の搬送方向の前後に２組設置しており、これら２組の蓋かしめ固定装置により、２段階でかしめ固定を行うことにより、蓋２のスカート部２１の折り込み時の成型性と折り込み後の保形性を高めるとともに、かしめに要する時間を短縮している。
【００１９】
また、このカップ状容器の蓋かしめ固定装置において、図１４に示すように、かしめ固定後のスカート部２１のフランジ部１１の周壁部１３に沿う部分に、ミシン目等の脆弱部７１を形成するローレット部材７を設けることも可能であり、これにより、蓋２を脆弱部７１に沿ってきれいに破断することができる。
ローレット部材７は、対向する位置に１対設けられるとともに、スカート部２１の周囲に容器本体１側に付勢して配設されており、上部のモータ７２により、スカート部２１の周囲を走行する。
【００２０】
次に、この実施例のカップ状容器の蓋かしめ固定装置の動作を説明する。
先ず、図１に示すように、容器本体１と蓋２をセットしたカップホルダ３を、所定の位置に停止させた後、図２に示すように、押さえ部材４を上方から降下させ、容器本体１のフランジ部１１と蓋２のスカート部２１とを、カップホルダ３と押さえ部材４とで位置決めする。
なお、この場合、カップホルダ３と押さえ部材４とで、容器本体１のフランジ部１１と蓋２のスカート部２１とを正確に位置決めすることができるように、押さえ部材４を、降下時、水平面内で若干量自由に移動することができるように構成することが望ましい。
【００２１】
次に、爪部材５が形成された１対のベース金具５１が対向方向に揺動し、爪部材５により、蓋２のスカート部２１をフランジ部１１の先端を支点として容器本体１側に折り込むとともに、カップホルダ３に押し付ける。
この場合、ベース金具５１の半円形の切り欠き部５２の開口付近に形成された爪部材５は、フランジ部１１の内側に嵌挿される円周上の位置に形成されていることから、スカート部２１を絞るように摺擦することによって容器本体１側に折り込むことができる。
そして、図３に示すように、爪部材５を上昇させることにより、折り込んだスカート部２１をフランジ部１１の内側にさらに折り込むとともに、さらに、図４に示すように、この位置から爪部材５を外側に移動させ、押さえ部材４とでスカート部２１を挟むことにより、爪部材５間の空隙５３にスカート部２１の余り部分を逃がしながらかしめ固定する。
【００２２】
その後、爪部材５が下降して、元の位置に復帰するとともに、押さえ部材４が蓋２の中心部にエア噴出部４２からエアを吹きつけながら上昇して、１サイクルの動作が終了する。
そして、この動作が、後段の蓋かしめ固定装置でも同様に繰り返して行われる。
なお、爪部材５の横方向の移動は、図８に示すシリンダ５６によって行われ、また、縦方向の移動は、図９に示すシリンダ５７によって行われている。
【００２３】
かくして、本実施例のカップ状容器の蓋かしめ固定装置は、容器のフランジ部１１の内側で、容器本体１とフランジ部１１の水平部１２とを支持するカップホルダ３と、嵌着された蓋２を介してフランジ部１１の水平部１２と周壁部１３とを押さえる押さえ部材４と、前記蓋２のスカート部２１をフランジ部１１の先端を支点として容器本体１側に折り込むとともに、折り込んだスカート部２１をフランジ部１１の内側にさらに折り込む複数に分割された爪部材５とを備えることから、容器の開口部に嵌着した蓋２のスカート部２１を、断面鉤状にせり出す容器開口部のフランジ部１１に容易にかしめて固定することができ、これにより、生産効率を維持しながら、カップ状容器の蓋２を容易に取り外せないようにするとともに、開封された容器の確認を容易にすることができる。
そして、このカップ状容器の蓋かしめ固定装置は、前記カップホルダ３と押さえ部材４により容器本体１と蓋２とを位置決め固定するとともに、該カップホルダ３により容器本体１を爪部材５から保護し、さらに、爪部材５間の空隙５３に、折り込んだスカート部２１の余り部分を逃がすことにより、折り込み時の成型性と折り込み後の保形性を高めることができる。
【００２４】
以上、本発明の実施例を説明したが、爪部材５が形成されるベース金具５１は、この実施例のように２分割する以外に、３分割や４分割することも可能である。
また、図示省略するが、蓋２のサイドからシール可能なように、逃がし溝加工を施したヒートローラを蓋２の円周方向に走らせてシールする装置を付設することも可能である。
【００２５】
【発明の効果】
本発明のカップ状容器の蓋かしめ固定装置によれば、容器のフランジ部の内側で、容器本体とフランジ部の水平部とを支持するカップホルダと、嵌着された蓋を介してフランジ部の水平部と周壁部とを押さえる押さえ部材と、前記蓋のスカート部をフランジ部の先端を支点として容器本体側に折り込むとともに、折り込んだスカート部をフランジ部の内側の前記カップホルダと周壁部との間に形成された隙間にさらに折り込むための、前記カップホルダと周壁部との間に形成された隙間に挿入される爪本体を有する複数に分割された爪部材とを備えることから、容器の開口部に嵌着した蓋のスカート部を、断面鉤状にせり出す容器開口部のフランジ部の内側の前記カップホルダと周壁部との間に形成された隙間に折り込むようにして容易にかしめて固定することができ、これにより、生産効率を維持しながら、カップ状容器の蓋を容易に取り外せないようにするとともに、開封された容器の確認を容易にすることができる。
そして、このカップ状容器の蓋かしめ固定装置は、前記カップホルダと押さえ部材により容器本体と蓋とを位置決め固定するとともに、該カップホルダにより容器本体を爪部材から保護し、さらに、爪部材間の空隙に、折り込んだスカート部の余り部分を逃がすことにより、折り込み時の成型性と折り込み後の保形性を高めることができる。
【００２６】
また、前記爪部材を加熱するヒーターを備えることにより、蓋のスカート部の折り込み時の成型性と折り込み後の保形性をさらに高めることができる。
【００２７】
さらに、前記スカート部のフランジ部に沿う部分に、ミシン目等の脆弱部を形成するローレット部材を備えることにより、蓋を脆弱部に沿ってきれいに破断することができる。
【図面の簡単な説明】
【図１】  本発明のカップ状容器の蓋かしめ固定装置の一実施例を示し、（ａ）は第１工程を示す斜視図、（ｂ）は同要部断面図である。
【図２】  同実施例の蓋かしめ固定装置を示し、（ａ）は第２工程を示す斜視図、（ｂ）は同要部断面図である。
【図３】  同実施例の蓋かしめ固定装置を示し、（ａ）は第３工程を示す斜視図、（ｂ）は同要部断面図である。
【図４】  同実施例の蓋かしめ固定装置を示し、（ａ）は第４工程を示す斜視図、（ｂ）は同要部断面図である。
【図５】  同実施例の蓋かしめ固定装置を示し、（ａ）は第５工程を示す斜視図、（ｂ）は同要部断面図である。
【図６】  同実施例の蓋かしめ固定装置で使用する容器を示し、（ａ）は平面図、（ｂ）は一部断面正面図である。
【図７】  同実施例の蓋かしめ固定装置を示す平面図である。
【図８】  同正面図である。
【図９】  同側面図である。
【図１０】  爪部材の一例を示し、（ａ）は平面図、（ｂ）は側面図、（ｃ）は断面正面図である。
【図１１】  爪部材の他の例を示し、（ａ）は平面図、（ｂ）は側面図、（ｃ）は断面正面図である。
【図１２】  爪部材のまた他の例を示し、（ａ）は平面図、（ｂ）は側面図、（ｃ）は断面正面図である。
である。
【図１３】  爪部材のさらに他の例を示し、（ａ）は平面図、（ｂ）は側面図、（ｃ）は断面正面図である。
である。
【図１４】  ローレット部材を示し、（ａ）は正面図、（ｂ）は平面図である。
【符号の説明】
１    容器本体
１１  フランジ部
１２  水平部
１３  周壁部
２    蓋
２１  スカート部
３    カップホルダ
３１  筒壁
４    押さえ部材
４１  嵌着部
４２  エア噴出部
５    爪部材
５１  ベース金具
５２  切り欠き部
５３  空隙
５４  爪本体
５５  凹部
５６  シリンダ
５７  シリンダ
６    チェーンコンベア
６１  搬送板
７    ローレット部材
７１  脆弱部
７２  モータ
【図１】
0003668173.tif 000002
【図２】
0003668173.tif 000003
【図３】
0003668173.tif 000004
【図４】
0003668173.tif 000005
【図５】
0003668173.tif 000006
【図６】
0003668173.tif 000007
【図７】
0003668173.tif 000008
【図８】
0003668173.tif 000009
【図９】
0003668173.tif 000010
【図１０】
0003668173.tif 000011
【図１１】
0003668173.tif 000012
【図１２】
0003668173.tif 000013
【図１３】
0003668173.tif 000014
【図１４】
0003668173.tif 000015